(57)【特許請求の範囲】
【請求項１】
顧客端末と、サーバーと、該顧客端末と該サーバーとを接続するネットワークと、前記サーバーに蓄積された画像をプリントするプリンタ端末とを備えた画像出力システムで、前記顧客端末は当事者または当事者グループの画像を、第三者がプリント可能な画像とプリント不可能の画像とに分類する分類手段と、前記分類した画像をそれぞれ前記サーバーにアップロードするアップロード手段と、前記画像を閲覧する閲覧手段と、前記閲覧した前記画像の中でプリントを指定する指定手段とを備え、前記プリンタ端末は、前記指定された画像をプリントするプリント手段を備え、前記当事者または当事者グループの画像をプリントする場合、前記当事者又は当事者グループに１枚毎に所定のサイズで所定のプリント紙へのプリントに対して、前記画像と無関係に一定のポイントが付与され、前期第三者の画像をプリントする場合、それぞれの画像毎に１枚毎に所定のサイズでのプリントに対して前記画像の価格に対応して変化するポイントが付与される付与手段を備えた画像出力システム。
【請求項２】
顧客端末と、サーバーと、該顧客端末と該サーバーとを接続するネットワークと、前記サーバーに蓄積された画像をプリントするプリンタ端末とを備えた画像出力システムで、前記顧客端末は当事者または当事者グループの画像を、第三者が閲覧可能な画像と閲覧不可能の画像とに分類する分類手段と、前記分類した画像をそれぞれ前記サーバーにアップロードするアップロード手段と、前記画像を閲覧する閲覧手段と、前記閲覧可能な画像の中でプリント可能か否かを示す識別信号を付加する付加手段と、前記閲覧した前記画像の中でプリントを指定する指定手段とを備え、前記プリンタ端末は、前記指定された画像をプリントするプリント手段を備え、前記当事者または当事者グループの画像をプリントする場合、前記当事者又は当事者グループに１枚毎に所定のサイズで所定のプリント紙へのプリントに対して、前記画像と無関係に一定のポイントが付与され、前期第三者の画像をプリントする場合、それぞれの画像毎に１枚毎に所定のサイズでのプリントに対して前記画像の価格に対応して変化するポイントが付与される付与手段を備えた画像出力システム。
【請求項３】
前記サーバーは前記プリント可能な画像を第１の期間および前記プリント不可能な画像を第２の期間保管する保管手段を備え、第２の期間は第１の期間を越えない期間であるように制御する制御手段を備えた請求項１、２に記載の画像出力装置。
【発明の詳細な説明】
【技術分野】
【０００１】
本発明は、画像を、ネットワークを介してサーバーや画像データベースにアップロード
して蓄積し、そのサーバーに蓄積されている写真をプリントする画像出力システムに関す
る。
【背景技術】
【０００２】
従来、撮影した画像をパソコンのメモリに保存して必要に応じてその画像を取り出して加工したり、プリントしたり、資料に挿入するなどしていた。しかしながら最近、コンパクトカメラや携帯電話に組み込まれているカメラでも画像は１０００万以上の画素数を有するカメラが発売され始めている。１つの画像でも保存するのに多くのメモリ容量が必要で、画像の数が多くなるとパソコンのメモリの容量が増加するのでハードディスクを別途購入し、パソコンに外付けして使用する場合が多かった。また自分のパソコンやハードディスクに画像を保存せずに外部のデータベースやサーバーに蓄積する人も増えてきた。
【０００３】
図１４に示す特許文献１では、プリント受注・管理サーバーシステムは、通信ネットワーク上に公開した公開画面によりプリント注文を受け付ける受注システム、受注システム
からアップロードされた画像データを管理するアルバム機能、この管理した画像データの画像を第三者に閲覧および注文することを可能にするシェアボックス機能、閲覧可能な画像について画像のアクセス状況およびプリント注文状況の少なくとも一方を管理する画像管理部および画像のアクセス状況および画像のプリント注文状況に基づいて前記閲覧可能な画像を確認する画像確認部を有し、一定期間に注文枚数がないとき、または公序良俗に反する場合に公開を停止または削除される例が示されている。
【０００４】
図１５に示す特許文献２では、被写体を撮像した画像をプリンタ―で、通常プリント、はがきプリント等の種々のプリントタイプに応じ、プリントサイズ、プリント枚数等の注文内容の入力手段による入力に基づいてプリント物を出力する。各顧客の注文内容に応じたポイントを付与し、顧客ごとにその累積ポイント数を顧客データベースに格納し、管理する。顧客データベースまたは顧客データベースに格納されている顧客のポイントを読み出し、そのポイント数に応じて、料金割引やキャッシュバック、景品の贈呈のための処理を行う。料金を割引く場合には、課金手段により、割引料金を表示したうえ、割引された料金を入金してもらうようにする。キャッシュバックの場合には、所定の額を返金する。景品贈呈の場合は、例えば、レシート等に景品が贈呈される旨の情報を領収書に加えて印刷することが示されている。
【先行技術文献】
【特許文献】
【０００５】
【特許文献１】特開２００７−３１７１２４号公報
【特許文献２】特開２００５−２０８８７０号公報
【発明の概要】
【発明が解決しようとする課題】
【０００６】
特許文献１は他人の画像を閲覧でき、プリントする例が示されているが、そのプリントに対して、画像を提供する人、画像を利用する人に対して何らかのサービスを供給することは示されていない。他人の素晴らしい画像をプリントすることにより、その画像の提供に対して何の報いも示されていない。
【０００７】
特許文献２は自分の所有する画像をプリントするとポイントが付加されて顧客が多くの画像をプリントされるとそれ相当のメリットがあることに関して述べられているが、自分以外の他人の画像をプリントして画像を提供した側に対するサービスとなるようなことは何も示唆されていない。
【０００８】
本発明は、このような従来の構成が有していた問題を解決しようとするものであり、サーバーに記憶している画像を自分の画像だけでなく、他人の画像もプリント可能とするものであり、自分の画像および他人の画像をプリントするとサービスとなるポイントが付加され、さらに他人の画像をプリントするとその他人に対して画像の価格に対応するポイントを支払う。このようにサーバーとプリント端末を結合させることによって画像を保管するサーバー、画像の保管を依頼する者にとってそれぞれ有益な画像出力システムを提供することを目的とするものである。
【課題を解決するための手段】
【０００９】
本発明の請求項１は、顧客端末と、サーバーと、該顧客端末と該サーバーとを接続するネットワークと、前記サーバーに蓄積された画像をプリントするプリンタ端末とを備えた画像出力システムで、前記顧客端末は当事者または当事者グループの画像を、第三者がプリント可能な画像とプリント不可能の画像とに分類する分類手段と、前記分類した画像をそれぞれ前記サーバーにアップロードするアップロード手段と、前記画像を閲覧する閲覧手段と、前記閲覧した前記画像の中でプリントを指定する指定手段とを備え、前記プリンタ端末は、前記指定された画像をプリントするプリント手段を備え、前記当事者または当事者グループの画像をプリントする場合、前記当事者又は当事者グループに１枚毎に所定のサイズで所定のプリント紙へのプリントに対して、前記画像と無関係に一定のポイントが付与され、前期第三者の画像をプリントする場合、それぞれの画像毎に１枚毎に所定のサイズでのプリントに対して前記画像の価格に対応して変化するポイントが付与される付与手段を備えた画像出力システムを提供するものである。すなわち、当事者または当事者グループの画像をプリントする場合、第三者の画像をプリントする場合とことなり、著作権等の作品の価格を考慮しないので画像と無関係に一定のポイントが付与され、第三者の画像をプリントする場合、写真の作品としての価格もあり、その価格の所定の割合の金額がサーバーを運営している者に入金され、それに応じてプリントを依頼した者にもポイントが付与されプリント事業が活性化される。
【００１０】
請求項２は、顧客端末と、サーバーと、該顧客端末と該サーバーとを接続するネットワークと、前記サーバーに蓄積された画像をプリントするプリンタ端末とを備えた画像出力システムで、前記顧客端末は当事者または当事者グループの画像を、第三者が閲覧可能な画像と閲覧不可能の画像とに分類する分類手段と、前記分類した画像をそれぞれ前記サーバーにアップロードするアップロード手段と、前記画像を閲覧する閲覧手段と、前記閲覧可能な画像の中でプリント可能か否かを示す識別信号を付加する付加手段と、前記閲覧した前記画像の中でプリントを指定する指定手段とを備え、前記プリンタ端末は、前記指定された画像をプリントするプリント手段を備え、前記当事者または当事者グループの画像をプリントする場合、前記当事者又は当事者グループに１枚毎に所定のサイズで所定のプリント紙へのプリントに対して、前記画像と無関係に一定のポイントが付与され、前期第三者の画像をプリントする場合、それぞれの画像毎に１枚毎に所定のサイズでのプリントに対して前記画像の価格に対応して変化するポイントが付与される付与手段を備えた画像出力システムを提供するものである。すなわち、当事者または当事者グループの画像をプリントする場合、第三者の画像をプリントする場合とことなり、著作権等の作品の価格を考慮しないので画像と無関係に一定のポイントが付与され、第三者の画像をプリントする場合、写真の作品としての価格もあり、その価格の所定の割合の金額がサーバーを運営している者に入金され、それに応じてプリントを依頼した者にもポイントが付与されプリント事業が活性化される。
【００１５】
請求項３は、前記サーバーは前記プリント可能な画像を第１の期間および前記プリント不可能な画像を第２の期間保管する保管手段を備え、第２の期間は第１の期間を越えない期間であるように制御する制御手段を備えた請求項１、２に記載の画像出力装置を提供するものであり、画像として流通性の少ない画像は流通性のある画像よりも保管期間を長くすることをしないことを主旨とするものである。
【発明の効果】
【００１７】
上述したように、本発明の画像出力システムはサーバーに画像をアップロードしたとき、そのアップロードした画像をプリントするときは所定のポイントが付与される。第三者の画像に対してプリントを依頼する場合、画像の価格に対して料金を払うとともに価格に対応した変化したポイントを付与されるものである。画像をアップロードするものに対してプリントしたときポイントが付与されるので、本発明の画像出力システムが一つの流通マーケットとして売買価格の一部が収入として入ってくるので画像出力システムの維持に好適である。また、画像にキーワードを付与し、画像検索ができるので当事者およびそのグループ以外の画像を検索できるので画像を探すのに好適である。
【図面の簡単な説明】
【００１８】
【図１】本発明の画像出力システムの第１の実施例における第１の概念図
【図２】本発明の画像出力システムの第1の実施例における第２の概念図
【図３】本発明の画像出力システムに用いられる顧客端末
【図４】本発明の画像出力システムにおいて画像をサーバーにアップロードするフローチャート
【図５】アップロードしたプリント可能画像の一例
【図６】アップロードしたプリント不可能画像の一例
【図７】会員である当事者およびそのグループおよび第三者、および非会員の画像のプリントを出力するフローチャート
【図８】当事者または当事者グループおよび第三者の画像のプリント時の画像の一例
【図９】本発明の画像出力システムのサーバーにおける画像保存期間に関するフローチャート
【図１０】本発明の画像出力システムの第２の実施例の第１の概念図
【図１１】本発明の画像出力システムの第２の実施例の第２の概念図
【図１２】第２の実施例における閲覧可能画像とプリント可能画像の説明図
【図１３】閲覧可能でプリント不可能な図の一例
【図１４】従来例
【図１５】従来例
【発明を実施するための形態】
【００１９】
図１は本発明の画像出力システムの第１の実施例における第１の概念図を示し、図２は第２の概念図を示す。すなわち第１の概念図は画像をサーバーに転送する前の概念図を示し、第２の概念図は画像がサーバーに転送された後における概念図を示す。
【００２０】
１は顧客端末を、１Ａは第三者がプリント可能な「第三者プリント可能画像」を示し、１Ｂは第三者がプリント不可能な「第三者プリント不可能画像」を示し、１Ｃは「第三者プリント可能画像」および「第三者プリント不可能画像」をそれぞれ区分けして表示する表示部を示し、図面上で各画像についてサムネイル画像で示している。１Ｄは制御部を示し、１Ｅは撮影した画像をまず蓄積する画像メモリを示す。
【００２１】
１Ｘは、オンすることにより画像メモリ１Ｅに蓄積した画像を、表示部１Ｃに表示するスイッチを示す。
【００２２】
１Ｙは、オンにすると、図１に示すように、撮影された画像メモリ１Ｅの画像を、制御部１Ｄにより、サーバーにアップロードする画像を、第三者がプリント可能な「第三者プリント可能画像」１Ａと第三者がプリント不可能な「第三者プリント不可能画像」１Ｂに分類するスイッチを示し、アップロードされない画像は画像メモリ１Ｅに留まる。
【００２３】
スイッチ１Ｚをオンすると、図２に示すように、「第三者プリント可能画像」１Ａ、「第三者プリント不可能画像」１Ｂを後述する２で示すネットワークを介して後述のサーバーの４Ａ、４Ｂにそれぞれアップロードする。
【００２４】
１Ｆは数値、キーワードＫＷ等を入力する文字入力部材を示し、文字入力部材１Ｆの操作によりプリント枚数、キーワード等が画像に付加される。
【００２５】
顧客端末１から画像メモリ１Ｅに蓄えられた画像からアップロードすべき画像を、ネットワーク２を介して３で示すプリンタシステムの４で示すサーバーにアップロードする。３Ａは、プリンタシステム３のサーバー４および５で示すプリンタ端末および６で示す課金端末および７で示す配送端末の動作の制御をつかさどる制御部であり、制御部３Ａはサーバー４、プリンタ端末５、課金端末６、配送端末７と有線または無線で接続されている。
【００２６】
サーバー４はサーバー４Ａとサーバー４Ｂに分かれており、サーバー４Ａは当事者または当事者グループ以外の第三者も当事者または当事者グループと同じようにプリント可能な「第三者プリント可能画像」を格納するサーバー、サーバー４Ｂは逆に当事者／当事者グループ以外の第三者がプリントを不可能な「第三者プリント不可能画像」を格納するサーバーである。ここでサーバー４Ａとサーバー４Ｂに分けているが、一つのサーバーの中で「第三者プリント可能な画像」と、「第三者プリント不可能な画像」を識別できるようにして格納してもよい。
【００２７】
５は、異なるプリントサイズに適応するよう複数台を配したプリンタ端末を示し、６はプリント代金等の課金、サービスポイントとしてポイントを発行、処理するポイント端末、すなわち課金端末である。７はプリントされた画像を、不図示の梱包部材で梱包して配送の指示をする配送端末を示し、７Ａで示す配送用車両でプリントされた画像を配送する。
【００２８】
制御部３Ａはサーバー４に対してプリントされる画像とそのプリントするプリントサイズ、枚数が決定するとプリント端末５を作動させてプリントした後、そのサイズ、枚数により課金端末６を作動させて、料金とポイントを決定し、不図示の請求書を作成し、不図示の梱包部材にプリントを挿入するよう梱包するよう配送端末７を作動させて出荷するよう制御する。
【００２９】
図３は顧客端末１を示す図であり、デジタルカメラで撮影した画像を記憶した画像メモリ１Ｅを顧客端末１の内部にある制御部１Ｄ（不図示）に取りつけた図を示す。数値入力部材１Ｆは顧客端末１をコンピュータとすればキーボード部に該当する。
【００３０】
図４は画像をサーバー４にアップロードするフローチャートを示す。
【００３１】
Ｓ１で顧客端末１のＩＤ番号、パスワードを入力し、Ｓ２で本発明の画像出力システムのすでに会員として登録されたＩＤ番号とパスワードが一致しているかどうかを判別し、一致しなければ、Ｓ３に進んで登録するか否かを判別し、登録しなければＳ４に進み登録を中止する。
【００３２】
もし既に登録されたＩＤ番号とパスワードと一致したときはＳ５に進み、画像を当事者または当事者以外の第三者がプリントできる「第三者プリント可能画像」と第三者がプリントできない「第三者プリント不可能画像」とに分類する。
【００３３】
Ｓ６で、画像が所定の画像データベースを対比することにより公序良俗、著作権に違反しているかどうか、を判定し、問題があれば、Ｓ７に進んでアップロードしない。問題なければＳ８に進んで画像にキーワードＫＷを付与し、Ｓ９に進む。
【００３４】
第三者がプリント可能な「第三者プリント可能画像」はＳ１０に進んで１画像毎にサーバー４Ａにアップロードし、Ｓ１１に進んで画像ＩＤが付与される。この動作を繰り返してＳ１２で全画像のアップロードが終了したかどうかを判別し、アップロードが終了しないときはＳ６に戻って１画像毎に公序良俗に問題がないか、キーワード付与、価格設定を行ってアップロードしてサーバー４Ａで、画像ＩＤが付与される。画像をアップロードする度に画像ＩＤが付与される。Ｓ１２で全画像がアップロードされたと判別されれば、サーバー４Ａに保管する「第三者プリント可能画像」の画像の数、期間等とからＳ１３で、課金端末６によりサーバー保管料が決定される。
【００３５】
第三者がプリント不可能な「第三者プリント不可能画像」の場合はＳ１４に進んで所定のデータベースから画像が公序良俗、著作権に違反しているかどうかを判定し、問題があれば、Ｓ１５に進んでアップロードしない。問題なければＳ１６に進んで画像にキーワードＫＷを付与し、Ｓ１７に進む。
【００３６】
Ｓ１７では、１画像毎にサーバー４Ｂにアップロードし、Ｓ１８に進んで画像ＩＤが付与され、Ｓ１９で全画像アップロードが終了したかどうかを判別し、アップロード終了しないときはＳ１４に戻って所定の画像データベースと対比して公序良俗の判定、キーワード付与、１画像毎にアップロードしてサーバー４Ｂで、画像ＩＤが付与される。この動作を繰り返してＳ１９で全画像がアップロードされたと判別されれば、Ｓ２０で、課金端末６によりサーバー４Ｂに保管する「第三者プリント不可能画像」の画像の数、期間等とからサーバー保管料が決定され、Ｓ２１に進む。
【００３７】
Ｓ２１で、課金端末６により、Ｓ１３で決定された第三者がプリント可能な「第三者プリント可能画像」の保管料と、Ｓ２０で決定された第三者がプリント不可能な「第三者プリント不可能画像」の保管料とを加算してトータルサーバー保管料を決定する。しかしながら「第三者プリント可能画像」と「第三者プリント不可能画像」の１画像に対する保管料が同一ならばＳ１３、Ｓ２０を省略し、Ｓ２１で第三者プリント可能画像数と第三者プリント不可能画像数を合算して保管料を決定してもよい。
【００３８】
図５は、「第三者プリント可能画像」でアップロードされる画像の一例を示し、図２においてサーバー４Ａを介して顧客側の表示部１Ｃの各画像をクリックすると表示される図を示す。画像の下には、「画像ＩＤ」、「キーワードＫＷ」、「Ｌサイズの価格、２Ｌサイズの価格」が示される。例えば「画像ＩＤ」は「画像ＩＤ：１０００」、「キーワードＫＷ」は「ＫＷ：富士山」、「Ｌサイズ：１０００、２Ｌ：２０００」と表示される。
【００３９】
図６は「第三者プリント不可能画像」でアップロードされる画像の一例を示し、図２においてサーバー４Ｂを介して顧客側の表示部１Ｃの各画像をクリックすると表示される図を示す。画像の下には「画像ＩＤ」と、「キーワードＫＷ」が示されている。例えば「画像ＩＤ」は「画像ＩＤ：１０００」、「キーワードＫＷ」は「ＫＷ：富士山」と表示される。「第三者プリント不可能画像」は第三者がプリントできないので価格は表示されない。
【００４０】
図７は会員である当事者およびそのグループおよび第三者、および非会員の画像のプリ
ントを注文して出力するフローチャートを示す。
【００４１】
まず会員が写真プリントの注文をするとき、Ｓ３０で顧客ＩＤとパスワードを入力し、Ｓ３１ですでに登録されたＩＤとパスワードと一致するかどうかを判定し、一致しなければ、Ｓ３２で登録する意志があるかどうかを決め、登録する意志があるならば、Ｓ３３に進み登録し、Ｓ３４に進む。
【００４２】
Ｓ３４でプリントするかどうかを判定し、プリントしないと判断するならばＳ３５に進み中止し、Ｓ３６に進む。
【００４３】
Ｓ３６で、当事者または当事者グループの画像をプリントするか、第三者の画像をプリントするかを判別し、もし当事者または当事者グループの画像をプリントするならば、Ｓ３７に進み、プリントサイズが「Ｌサイズ」ならば、Ｓ３８に進んで枚数を設定し、Ｓ３９に進んで課金端末６により、プリント料金を決定し、Ｓ４０に進んでプリントに対するサービスのポイント、すなわち「ポイント」を算出する。ここでサーバー保管料が有料であるので「ポイント」はこのシステムを使ってプリントしたサービスであり、例えばプリント料金の３％と決めればその「ポイント」を付与するものである。「ポイント」を金額に変更し、後日のプリントのときに値引きとして使う。
【００４４】
選択できるプリントサイズは「Ｌサイズ」と「２Ｌサイズ」に限定し、Ｓ３７で「Ｌサイズ」を指定しないとき、Ｓ４１に進んで「２Ｌサイズ」を指定する。Ｓ４２に進んで枚数を設定し、Ｓ４３に進んでプリント料金を決定し、Ｓ４４に進んでプリントに対するサービスポイント、すなわち「ポイント」を算出する。
【００４５】
Ｓ４５から当事者以外またはそのグループ以外の第三者の画像のプリントを依頼する場合について説明する。
【００４６】
Ｓ４５で、第三者の画像をプリントサイズが「Ｌサイズ」ならＳ４６に進み、Ｓ４６に進んで枚数を設定し、Ｓ４７に進んで課金端末６により「料金」を決定し、Ｓ４８に進んでプリントに対する対価、すなわち「ポイント」を算出する。ここで「料金」は第三者がこの画像に対する価格にプリント代を加えて料金であり、価格は、図４のフローチャートのＳ９で設定した価格を示す。
【００４７】
Ｓ４５でプリントサイズが「Ｌサイズ」でない場合にＳ４９に進み、プリントサイズが「２Ｌサイズ」ならば、Ｓ５０に進んで枚数を設定し、Ｓ５１に進んで課金端末６により「料金」を決定し、Ｓ５２に進んでプリントに対する対価、すなわち「ポイント」を算出する。
【００４８】
次にＳ５３では、課金端末６により、当事者または当事者グループの「Ｌサイズ」、「２Ｌサイズ」の画像のプリントを注文して支払う料金とそれに対するポイント、また第三者の画像の「Ｌサイズ」、「２Ｌサイズ」の画像のプリントを注文する場合に支払う料金とそれに対するポイントを加算した料金とポイントのそれぞれを加算する。
【００４９】
次に本発明のシステムの非会員が写真プリントを注文する場合について説明する。
【００５０】
Ｓ３０で顧客ＩＤとパスワードを入力し、Ｓ３１ですでに登録されたＩＤとパスワードと一致するかどうかを判定し、一致しなければ、Ｓ３２で登録する意志があるかどうかを決め、登録する意志がない場合Ｓ５４に進み、プリントを依頼する場合に、Ｓ５６に進み、「Ｌサイズ」のプリントを注文するときにはＳ５７に進み、枚数を決定し、次にＳ５８に進んで課金端末６により料金を演算する。
【００５１】
Ｓ５６でプリントサイズを「Ｌサイズ」を選択しないときに、Ｓ５９に進み「２Ｌサイズ」を注文するときには、Ｓ６０に進んで枚数を決定し、次にＳ６１に進んで料金を演算する。
【００５２】
次にＳ６２に進み、課金端末６により「Ｌサイズ」のプリントの代金と「２Ｌサイズ」のプリント代金を加算する。
【００５３】
図８は、図７のフローチャートに基づいて画像プリントしたときの当事者または当事者
グループおよび第三者の画像のプリントを注文する時の画像の一例を示す。
【００５４】
当事者または当事者グループのプリントする画像をクリックすると画像の下に「画像Ｉ
Ｄ」と「枚数」と「サイズ」と「料金」と「ポイント」を示される。「画像ＩＤ」は画像を選択すると自動的に表示される。「枚数」は数値を文字入力部材１Ｆにより入力する。「サイズ」は「Ｌサイズ」または「２Ｌサイズ」のいずれかを選択し、「料金」は当事者または当事者グループの画像の場合は「Ｌサイズ」または「２Ｌサイズ」のプリント代が表示される。「ポイント」は「枚数」と「サイズ」を選択すると自動的に決定される。
【００５５】
第三者の画像をプリントする画像をするとき、当事者または当事者グループの画像と同じように画像の下に「画像ＩＤ」と「枚数」と「サイズ」と「料金」と「ポイント」を示し、「画像ＩＤ」は画像を選択すると自動的に表示され入力される。「枚数」は数値を文字入力部材１Ｆにより入力する。「サイズ」は「Ｌサイズ」または「２Ｌサイズ」のいずれかを選択し、「料金」は第三者が指定した画像の価格と「サイズ」によるプリント代とを加えた数値が表示される。「ポイント」は「枚数」と「料金」を考慮したポイントが付与される。
【００５６】
例えば、当事者または当事者グループの画像をプリントしたとき、「画像ＩＤ」は画像を選択すると自動的に「画像：１０００」が入力され、枚数は「枚数：２」を文字入力部材１Ｆの操作で入力される。「サイズ」は「Ｌサイズ」を選択する。料金は例えば「４０」円が自動的に演算されて表示され、同じく例えば「ポイント」は４が表示される。
【００５７】
図９は、本発明の画像出力システムのサーバーにおける画像保存期間に関するフローチャートを示す。
【００５８】
Ｓ７０で「第三者プリント可能画像」と「第三者プリント不可能画像」をアップロードするサーバーを選択してＳ７１に進み、「第三者プリント可能画像」はサーバー４Ａにアップロードする。Ｓ７２に進んでＴ期間経過したかどうかを判別し、Ｓ７３に進んでそのＴ期間にｎ枚以上プリントの履歴があるかどうかを判別し、その履歴がないときはＳ７４に進み、その画像をサーバー４Ａから消去する。もしもそのＴ期間にｎ枚以上のプリントの履歴がある場合には、Ｓ７２に戻って再びＴ期間の経過をみて、ｎ枚以上のプリントの履歴があるかどうかを判定し、このルートを繰り返す。
【００５９】
もし「第三者プリント不可能画像」の場合、Ｓ７５でサーバー４Ｂに「第三者プリント不可能画像」にアップロードし、Ｓ７６でＴ期間以下の長さのｔ期間が経過したかどうかを判別し、その期間が経過するとサーバー４Ａから第三者プリント不可能画像を消去する。
【００６０】
図９の内容は、プリント枚数が少ない画像はサーバーから消去して新しい画像をアップロードしてプリントに使って欲しいと思う気持ちを反映したものである。
【００６１】
図１０、図１１は本発明の第２の実施例の第１および第２の概念図を示す。
【００６２】
第1の実施例ではプリント可能な画像を表示部１Ｃに示して、その表示された画像から
プリントする画像を選択したが、第２の実施例では閲覧可能な画像を表示部１Ｃに示し、その中からプリントする画像を選択するものである。
【００６３】
図１２は、閲覧可能／不可能な画像とプリント可能／不可能な画像の関係を示す図である。
【００６４】
プリント可能な画像として示された画像はすべてプリントできる。
【００６５】
図１３に示すように閲覧可能な画像の中で「プリントできません」とする。例えば家族写真は第三者に見てほしいがプリントして欲しくない画像もある。その時、「プリントできません」と画像に示し、プリントさせないようにし、閲覧可能な画像の中から「プリントできません」と表示された画像を除いてプリント可能な画像を選択する。
【００６６】
また、当事者の画像または第三者の画像を含めて適当な画像を探すためには画像に付与されたキーワードＫＷの検索を利用する。例えば「富士山」の写真を探そうとするときはキーワードとして「富士山」を検索することにより早く望ましい画像を得ることができる。
【符号の説明】
【００６７】
１              顧客端末
２              ネットワーク
３              プリンタシステム
４              サーバー
５              プリンタ端末
６              課金端末
７              配送端末
【図３】
0005621168.tif 000002
【図４】
0005621168.tif 000003
【図５】
0005621168.tif 000004
【図６】
0005621168.tif 000005
【図７】
0005621168.tif 000006
【図８】
0005621168.tif 000007
【図９】
0005621168.tif 000008
【図１２】
0005621168.tif 000009
【図１３】
0005621168.tif 000010
【図１４】
0005621168.tif 000011
【図１５】
0005621168.tif 000012
【図１】
0005621168.tif 000013
【図２】
0005621168.tif 000014
【図１０】
0005621168.tif 000015
【図１１】
0005621168.tif 000016